(57)【要約】【課題】インターネットを利用して広告情報管理者及び広告依頼者が双方向で通信し、その場に居ながらにして全国の各地に設けられた屋外の広告媒体の使用状況を把握出来、顧客は当該広告媒体の広告依頼が出来る。【解決手段】インターネット１上にホームページを開設し、当該ホームページで広告に関する情報を提供するシステムにおいて、上記広告を取り扱う情報センター２は、全国各地に設けられた、各ＬＥＤ看板４の稼動状況、当該情報センター２から当該ＬＥＤ看板４への配信、及び配信スケジュールを各ＬＥＤ看板４ごとに集中制御管理し、上記ホームページ上でこれらのＬＥＤ看板４に関する情報を開示し、広告依頼者は、ＰＣ３の操作によりホームページに開示されたこれらの情報の中から広告の表示を希望する特定のＬＥＤ看板４を選択して広告内容を送信し、ホームページ上で当該選択したＬＥＤ看板４への広告表示の依頼が出来る。【選択図】図１
2005128448.tif 000002
【特許請求の範囲】
【請求項１】
インターネット上にホームページを開設し、当該ホームページで広告に関する情報を提供するシステムにおいて、
上記広告を取り扱う情報センターは、全国各地又は各所に設けられた、画像を表示して行う各広告媒体の稼動状況、当該情報センターから当該広告媒体への配信、及び配信スケジュールを個々の広告媒体ごとに集中制御管理し、上記開設したホームページ上でこれらの広告媒体に関する情報を開示し、
広告依頼者は、ＰＣの操作により当該ホームページに開示されたこれらの情報の中から広告の表示を希望する特定の広告媒体を選択して広告内容を送信し、当該ホームページ上で当該選択した広告媒体への広告表示の依頼が出来ることを特徴とする、インターネットを介して行う広告媒体の情報提供及び供給制御管理システム。
【請求項２】
上記画像を表示して行う広告媒体として、ＬＥＤフルカラー表示機を使用したことを特徴とする、上記請求項１に記載のインターネットを介して行う広告媒体の情報提供及び供給制御管理システム。
【請求項３】
上記広告媒体又はＬＥＤフルカラー表示機には、広告内容の画像表示上の不具合を監視する監視装置を設けたことを特徴とする、上記請求項１又は２の何れかに記載のインターネットを介して行う広告媒体の情報提供及び供給制御管理システム。
【請求項４】
上記広告依頼者は、当該システムによって依頼をした広告媒体における広告表示の内容をあらかじめ設置されたｗｅｂカメラのストリーミングによって確認できることを特徴とする上記請求項１乃至３の何れかに記載のインターネットを介して行う広告媒体の情報提供及び供給制御管理システム。
【請求項５】
上記ＬＥＤフルカラー表示機を車両に搭載できる車両搭載型ＬＥＤフルカラー表示機としたことを特徴とする、上記請求項１乃至４の何れかに記載のインターネットを介して行う広告媒体の情報提供及び供給制御管理システム。
【発明の詳細な説明】
【技術分野】
【０００１】
この発明は、インターネット上にホームページを開設し、このホームページを使用して、全国の各地、各所に設けられた屋外の看板などの広告媒体の情報提供及びこれらの広告媒体の供給制御管理システムに関するものである。
【背景技術】
【０００２】
ＰＣ（Personal computer）の発達に伴い、各事業所や各家庭に当該ＰＣが普及し、企業の活動や個人の生活など様々な分野において盛んに使用されている。とりわけ情報を取得する際には、都市や地方の区別無く、インターネットを活用し、現地に出向かなくとも今居るその場所で多くの情報を得ることが出来る。
【０００３】
一方、全国のビルの屋上や壁面、山の斜面、田畑などに広告媒体として広告看板が設けられている。これらの屋外に設けられた広告看板は、単に板上にペンキで記載しただけのものからネオンサインによるもの、また大画面のモニターやＬＥＤ（Light Emitting Diode）素子により作製された大画面のものまで各種あるが、これらは何れも集中的かつ計画的に管理されたものではなく、その使用状況や使用スケジュールなどは、個々に管理されているのが実情である。
【０００４】
こうした中、広告の業界において、コンピュータネットワークを使用した広告情報の供給方法として特許第２７５６４８３号がある。これは、コンピュータシステムにより広告情報の供給を行う広告情報の供給方法において、広告依頼者に対しては、広告情報の入力を促す一方、予め記憶された地図情報に基づいて地図を表示して、当該地図上において広告対象物の位置指定を促す段階と、前記地図上において位置指定された広告対象物の座標を、入力された広告情報と関連づけて逐一記憶する段階とを備える一方、この広告情報の利用者に対しては、前記地図情報に基づく地図を表示するとともに、当該地図上の地点であって、記憶された広告対象物の座標に相当する地点に、図像化した当該広告対象物を表示して、所望する広告対象物の選択を促す段階と、選択された広告対象物に関連付けられた広告情報を読み出す段階と、読み出された広告情報を、前記利用者に対して出力する段階とを備えた広告情報の供給方法である。
【０００５】
これにより、広告記載依頼から実際の広告頒布までのタイムラグを出来るだけ短くし、広告の効果が分かり易く、なおかつ、小規模な事業形態の広告依頼者であっても、広告が出し易い広告情報の供給方法を提供することが可能となる、というものである。
しかしながら、この広告情報の供給方法は、インターネットのホームページの中で表示し、修正等した広告内容をＰＣの画面上で利用者が見るというものである。
【特許文献１】特許第２７５６４８３号
【発明の開示】
【発明が解決しようとする課題】
【０００６】
上記広告情報の供給方法では、インターネットのホームページの中に広告媒体を設定したものであり、上記ビルの屋上や壁面、山の斜面、田畑などの屋外に設けられた広告看板の使用状況を集中管理し、これらの情報を広告依頼者に提供しようというものではない。この発明は、インターネットを利用して広告情報管理者及び広告依頼者（以下「顧客」という）が双方向で通信し、その場に居ながらにして全国の各地に設けられた屋外の広告媒体の使用状況を把握出来、顧客は当該広告媒体の広告依頼が出来るものである。
【課題を解決するための手段】
【０００７】
請求項１の発明は、インターネット上にホームページを開設し、当該ホームページで広告に関する情報を提供するシステムにおいて、上記広告を取り扱う情報センターは、全国各地又は各所に設けられた、画像を表示して行う各広告媒体の稼動状況、当該情報センターから当該広告媒体への配信、及び配信スケジュールを個々の広告媒体ごとに集中制御管理し、上記開設したホームページ上でこれらの広告媒体に関する情報を開示し、広告依頼者は、ＰＣの操作により当該ホームページに開示されたこれらの情報の中から広告の表示を希望する特定の広告媒体を選択して広告内容を送信し、当該ホームページ上で当該選択した広告媒体への広告表示の依頼が出来るインターネットを介して行う広告媒体の情報提供及び供給制御管理システムとした。
【０００８】
請求項２の発明は、上記画像を表示して行う広告媒体として、ＬＥＤフルカラー表示機を使用した上記請求項１に記載のインターネットを介して行う広告媒体の情報提供及び供給制御管理システムとした。また請求項３の発明は、上記広告媒体又はＬＥＤフルカラー表示機には、広告内容の画像表示上の不具合を監視する監視装置を設けた上記請求項１又は２の何れかに記載のインターネットを介して行う広告媒体の情報提供及び供給制御管理システムとした。
【０００９】
さらに請求項４の発明は、上記広告依頼者は、当該システムによって依頼をした広告媒体における広告表示の内容をあらかじめ設置されたｗｅｂカメラのストリーミングによって確認できる上記請求項１乃至３の何れかに記載のインターネットを介して行う広告媒体の情報提供及び供給制御管理システムとした。また請求項５の発明は、上記ＬＥＤフルカラー表示機を車両に搭載できる車両搭載型ＬＥＤフルカラー表示機とした上記請求項１乃至４の何れかに記載のインターネットを介して行う広告媒体の情報提供及び供給制御管理システムとした。
【発明の効果】
【００１０】
請求項１乃至５の各発明によれば、情報センターのＰＣを操作することにより、一箇所で半固定の特定広告看板ではなく、遠隔操作により、広告内容を即時変更し、様々な表示の広告を配信することで情報基地となり得るものであり、また広告媒体として即応性があり、情報センターによる一括制御配信を利用し、緊急情報、災害情報等への迅速対応も可能である。さらに顧客の細かなニーズに合わせた時間帯や特定の地域に発信したい情報を顧客自身がホームページ上で広告依頼することにより容易に配信することが出来るので、顧客自身小回りの利いたきめの細かなリアルタイムの広告ができる。
【００１１】
請求項２の発明によれば、広告媒体としてＬＥＤフルカラー表示機を使用しているので、文字はもちろん顧客からのコマーシャルメッセージである動画を配信した場合でも、高輝度フルカラー、軽量で汎用性の高い、２４時間３６５日自然環境に左右されることの少ない、極めて明瞭な画像を表示することができる。よって広告媒体として信頼性の高いものである。さらにＬＥＤは、消費電力が低く電気料金を低額に抑えることが出来る。また請求項３の発明によれば、上記広告媒体又はＬＥＤフルカラー表示機には、広告内容の画像表示上の不具合を監視する監視装置を設けたので、仮にＬＥＤフルカラー表示機のＬＥＤ素子が切れたりしても、情報センターで即分かり、迅速に復旧作業が出来るので、広告媒体として信頼性の高いものとなる。
【００１２】
請求項４の発明によれば、このシステムによって依頼をした広告表示の内容をｗｅｂカメラのストリーミングによって確認できるようにしたので、広告依頼者は、自身が行った実際の広告内容を見て安心することが出来、このシステムにおける信頼性を高め、このシステムの普及にもつながるものである。また請求項５の発明によれば、ＬＥＤフルカラー表示機を車両に搭載できる車両搭載型ＬＥＤフルカラー表示機としたので、一定箇所に固定された広告媒体、特にネオンサインから移動可能な広告媒体へと発展させることが出来る。従って、車両が通行できる場所であれば、顧客が望む如何なる所へも赴くことが出来、様々な場所で広告内容を表示することが可能と成り、顧客の満足に大きく応えることが出来る。
【発明を実施するための最良の形態】
【００１３】
広告を取り扱う情報センターは、全国各地又は各所に設けられた、画像を表示して行う各広告媒体の稼動状況、情報センターから広告媒体への配信、及び配信スケジュールを個々の広告媒体ごとに集中制御管理し、顧客は、身近にあるＰＣにより、これらの広告媒体に対してインターネットのホームページを介して広告依頼がリアルタイムで出来る。
【実施例１】
【００１４】
この発明の実施例について図に基づいて説明する。
この広告媒体の情報提供及び供給制御管理システムでは、図１に示すように、インターネット１上にホームページを開設し、このホームページを広告情報提供者の情報センター２のＰＣ２ａ及びサーバ２ｂと繋ぎ、この情報センター２と全国各地のビルの屋上や壁面などに設置されている多数の広告媒体とをインターネット１を介して接続している。
【００１５】
この情報センター２のサーバ２ｂは、主な構成としてＣＰＵ等の制御手段、入力制御手段、出力制御手段、記憶手段から成り、入力制御手段や出力制御手段は、顧客のＰＣ３や情報センター２において入出力される情報を制御するものであり、記憶手段にはメインプログラムのほか各種のプログラムが記憶されている。例えば個々の広告媒体の位置や規模を記憶するプログラム、広告媒体の位置を示す日本全国の各自治体、市町村の地図を記憶するプログラム、広告媒体に表示する広告内容を記憶するプログラム、広告内容の配信状況、配信スケジュールを記憶するプログラムなどである。
【００１６】
そしてこの情報センター２では、個々の広告媒体の規模、設置場所、設置向き、また情報センター２から配信される広告内容（画像、文字、音声など）、広告の表示の時間や期間、この広告媒体の使用料などを集中して個々に管理するものとする。
【００１７】
またここで遠隔管理する広告媒体としては、３種類のＬＥＤ素子（赤、緑、青の３色）から成るＬＥＤ複合素子を看板の平面上に複数配置したフルカラーの表示機による看板４（以下「ＬＥＤ看板４」という）を使用するものとし、情報センター２から配信される静止画像はもちろん動的な画像を表示できる。ここで、ＬＥＤ素子を使用する理由の一つとして、消費電力が低いことがあげられる。つまり看板の大きさが３００ｃｍ×４００ｃｍのネオン管の場合は消費電力が２０ｋｗ／ｈ〜３０ｋｗ／ｈであるのに対し、同じ大きさのＬＥＤ素子の場合は、消費電力２ｋｗ／ｈ程度ですむ。このＬＥＤ看板４の近くに、ＬＥＤの表示制御及びＬＥＤの素子切れなどを当該素子の配置をマトリックスにして監視する電飾監視装置及び制御装置を設置し（図示省略）、これらの情報を上記情報センター２へ送信し管理するものとする。
【００１８】
そしてこの広告媒体の情報提供及び供給制御管理システムの使用にあたり、まず情報センター２のサーバ２ｂにおいて、あらかじめ全国各地に設置されているＬＥＤ看板４の規模、設置場所、設置向き、使用可能時間、使用可能期間、使用料を個別に記載してリスト５とし、これらのリスト５を地域別住所別にまとめて登録する。また顧客もあらかじめこの情報センター２のサーバ２ｂに会員として登録しておくものとする。
【００１９】
次にこのＬＥＤ看板４の情報提供及び供給制御管理システムの使用について説明する。
顧客は自身のＰＣ３により、この情報センター２のホームページにアクセスして、顧客自身のパスワードなどを使ってこのホームページを開く。すると情報センター２のメインメニューがあらわれ、図２に示すような東京都２３区を示した画面が表示される。顧客は、この画面から例えば渋谷区をクリックして渋谷区の地図を表示する。さらにこの地図からＪＲ渋谷駅前付近をクリックすると、図３に示すようなＪＲ渋谷駅前付近の略図が表示され、この略図上においてもＬＥＤ看板４の位置が表示され（図３参照）、同時に図４に示すように、ＪＲ渋谷駅前付近に設置されているＬＥＤ看板４のリスト５が表示される。
【００２０】
このリスト５には、ＪＲ渋谷駅前に設置されているＬＥＤ看板４の稼動状況が表示されており、これらの中から設置場所、設置向き、使用料、使用時間、使用期間など設置条件を検討し、条件に合った最適なＬＥＤ看板４をこの画面においてクリックして指定する。例えば、Ｎｏ．１のＬＥＤ看板４の状況の「空」は、現在使用されていないことを表しており、設置場所は、渋谷区宇多川町１・２・３の山田ビルで看板の向きは南東方向で、看板の規模（大きさ）は２００ｃｍ×４００ｃｍ、使用時間の「２４」は２４時間表示可能を示しており、使用期間に「━」が表示されているのは、随時使用可能を表し、使用料は、１５秒３万円であることを表している。
【００２１】
またＮｏ．２のＬＥＤ看板４の状況の「使」は、現在使用されていることを表しており、設置場所は、渋谷区道玄坂４・５・６の田中ビルで看板の向きは南東方向で、看板の規模（大きさ）は３００ｃｍ×５００ｃｍ、２４時間表示可能、使用期間が「Ｈ１５．１１．１〜」となっているのは、現在使用中であり、平成１５年１１月１日以降使用可能であることを表し、使用料は、１５秒５万円であることを表している。
【００２２】
このリスト５の中で例えばＮｏ．４の渋谷区渋谷１・２・３のＡＢＣビル、看板の向きは東方向で、看板の規模（大きさ）は３００ｃｍ×５００ｃｍ、２４時間表示可能、使用期間が随時使用可能、使用料は、１５秒５万円のＬＥＤ看板４を選択する。そして指定したＬＥＤ看板４において、広告内容をさらに指定する。顧客はＰＣ３によりホームページの情報センター２にアクセスして操作し、配信の時間、配信方法、例えば、配信時間午前８時〜午前０時までの間、繰り返し配信し、本日から１０日間配信するなどとリスト５の「スケジュール」で指定する。
【００２３】
その後、顧客は、ＬＥＤ看板４において表示される広告の内容である３０秒の動画のコマーシャルメッセージ（図５参照）を情報センター２にメールによって送信し、リスト５の右端にある「契約」をクリックして契約終了となる。またこの顧客から送信されたコマーシャルメッセージについては、ＬＥＤ看板４に表示される前に、情報センター２においてその内容を確認し、公序良俗に違反しない内容のものであること等を確認し、仮に公序良俗に違反する内容のものである場合、ＬＥＤ看板４において表示しないようにするなどの選別を行うものとする。
【００２４】
さらに使用料の支払いについては、ＰＣを利用した公知となっている電子決済システムを使用するものとする。この場合、使用料には、広告料に加え、電気料金及び通信料金等を含めることが出来る。
【００２５】
さらに顧客の依頼により情報センター２から配信された広告内容をあらかじめ設置されたｗｅｂカメラのストリーミングなどにより撮影し、情報センター２のホームページにおいて、随時見られるようにすれば、顧客は、ＬＥＤ看板４が設置されている現地に赴かなくとも、自己のＰＣ３の画面から自己の広告内容が実際に広告されていることが確認でき、安心することが出来る。
【００２６】
また、ビルの屋上等に設置する固定型のＬＥＤ看板４のほか、バスなどの車体の大きな車両にこのＬＥＤ看板を車両積載型ＬＥＤ看板６（図１参照）として取り付けて使用することも出来、さらには、このＬＥＤ看板６を設置するための専用の車両を作り、この様な車両にＬＥＤ看板６を搭載するようにしても良い。この場合情報センター２からの指示は、インターネット１を介して無線ＬＡＮなどによって行うものとする。さらに情報センター２から地方自治体や市町村による災害時の緊急情報や被災者の安否情報などを全国各地の又は特定地域のＬＥＤ看板４に配信し、各ＬＥＤ看板４でこれらを表示し、これらの情報を不特定多数の人に知らせることも出来る。
【００２７】
上記実施例において、情報センター２のホームページの内容として、地図を表す画面を設け、そこから各所に設置したＬＥＤ看板４のリスト５の作成をしたが、情報センター２のホームページの内容及びＬＥＤ看板４のリスト５の内容は、これらのものに限定するものではない。また広告媒体としてＬＥＤ看板４を使用したが、広告媒体としてはＬＥＤ看板４に限定するものではなく、大画面のモニターなどでも良い。
【００２８】
さらにＬＥＤ看板４は、ビルの屋上に設置したものを記載したが、ＬＥＤ看板４が設置されているのは、ビルの屋上に限定されたものではなく、ビルの壁面などのほか、山の斜面や田畑の中などでも良い。またＬＥＤ看板４は、新設するものを記載したが、既設のネオンサインから成る広告看板などと置き換えても良い。この場合は、高圧トランス等が不要になり、加えて電気料金を安価にすることが出来る。さらに顧客が、情報センター２に送信しＬＥＤ看板４において表示する広告内容は、動画に限るものではなく、静止画や文字のみから成るコマーシャルメッセージでも良い。また各ＬＥＤ看板４の消費電源としては、全てケーブルによって供給される電力に限るものではなく、各ＬＥＤ看板４の近くに設けた太陽光発電や風力発電などによるハイブリッド型としてもよく、さらに情報センター２からの指示は、インターネット１を介して無線ＬＡＮなどによって行うものとしてもよい。
【図面の簡単な説明】
【００２９】
【図１】この発明の実施例のＬＥＤ看板の情報提供及び供給制御管理システムのイメージを説明する説明図である。
【図２】この発明の実施例のＬＥＤ看板の情報提供及び供給制御管理システムの情報センターのホームページにおいて、東京都の２３区を示した説明図である。
【図３】この発明の実施例のＬＥＤ看板の情報提供及び供給制御管理システムの情報センターのホームページにおいて、渋谷駅付近を示した略図である。
【図４】この発明の実施例のＬＥＤ看板の情報提供及び供給制御管理システムの情報センターのホームページにおいて、渋谷駅付近に設置したＬＥＤ看板のリストの一部説明図である。
【図５】この発明の実施例の顧客が広告を依頼するために情報センターに送信するコマーシャルメッセージを示した説明図である。
【符号の説明】
【００３０】
１    インターネット                  ２    情報センター
３    顧客のＰＣ                      ４    ＬＥＤ看板
５    リスト                          ６    車両搭載型ＬＥＤ看板
【図１】
2005128448.tif 000003
【図２】
2005128448.tif 000004
【図３】
2005128448.tif 000005
【図４】
2005128448.tif 000006
【図５】
2005128448.tif 000007